【手続補正書】
【提出日】平成20年11月12日(2008.11.12)
【手続補正１】
【補正対象書類名】特許請求の範囲
【補正対象項目名】全文
【補正方法】変更
【補正の内容】
【特許請求の範囲】
【請求項１】
第１の電極と第２の電極との間に複数の層を有し、
前記複数の層は、第１の層と第２の層とを含み、
前記第１の層は発光物質を含む層であり、
前記第２の層は、一般式（１）で表されるカルバゾール誘導体と、前記一般式（１）で表されるカルバゾール誘導体に対して電子受容性を示す金属酸化物とを有することを特徴とする発光素子。
【化１】
2006186333.tif 000001
（式中、Ｒ１は、水素、ハロゲン、シアノ基、炭素数１〜２０のアルキル基、炭素数１〜２０のハロアルキル基、炭素数１〜２０のアルコキシル基、置換または無置換のアリール基、置換または無置換の複素環残基のいずれか一を示す。また、Ｒ２〜Ｒ５はそれぞれ同一でも異なっていても良く、水素、ハロゲン、シアノ基、炭素数１〜２０のアルキル基、炭素数１〜２０のアルコキシル基、炭素数１〜２０のアシル基、炭素数１〜２０のハロアルキル基、炭素数１〜２０のジアルキルアミノ基、炭素数１〜２０のジアリールアミノ基、置換または無置換の複素環残基、カルバゾリル基のいずれか一を示す。）
【請求項２】
第１の電極と第２の電極との間に複数の層を有し、
前記複数の層は、発光物質を含む層と、少なくとも一層の正孔を発生させる機能を有する層とを含み、
前記正孔を発生させる機能を有する層は、一般式（１）で表されるカルバゾール誘導体と、一般式（１）で表されるカルバゾール誘導体に対して電子受容性を示す金属酸化物とを有することを特徴とする発光素子。
【化２】
2006186333.tif 000002
（式中、Ｒ１は、水素、ハロゲン、シアノ基、炭素数１〜２０のアルキル基、炭素数１〜２０のハロアルキル基、炭素数１〜２０のアルコキシル基、置換または無置換のアリール基、置換または無置換の複素環残基のいずれか一を示す。また、Ｒ２〜Ｒ５はそれぞれ同一でも異なっていても良く、水素、ハロゲン、シアノ基、炭素数１〜２０のアルキル基、炭素数１〜２０のアルコキシル基、炭素数１〜２０のアシル基、炭素数１〜２０のハロアルキル基、炭素数１〜２０のジアルキルアミノ基、炭素数１〜２０のジアリールアミノ基、置換または無置換の複素環残基、カルバゾリル基のいずれか一を示す。）
【請求項３】
第１の電極と第２の電極との間に複数の層を有し、
前記複数の層は、発光物質を含む層と、少なくとも一層の正孔を輸送する機能を有する層とを含み、
前記正孔を輸送する機能を有する層は、一般式（１）で表されるカルバゾール誘導体と、一般式（１）で表されるカルバゾール誘導体に対して電子受容性を示す金属酸化物とを有することを特徴とする発光素子。
【化３】
2006186333.tif 000003
（式中、Ｒ１は、水素、ハロゲン、シアノ基、炭素数１〜２０のアルキル基、炭素数１〜２０のハロアルキル基、炭素数１〜２０のアルコキシル基、置換または無置換のアリール基、置換または無置換の複素環残基のいずれか一を示す。また、Ｒ２〜Ｒ５はそれぞれ同一でも異なっていても良く、水素、ハロゲン、シアノ基、炭素数１〜２０のアルキル基、炭素数１〜２０のアルコキシル基、炭素数１〜２０のアシル基、炭素数１〜２０のハロアルキル基、炭素数１〜２０のジアルキルアミノ基、炭素数１〜２０のジアリールアミノ基、置換または無置換の複素環残基、カルバゾリル基のいずれか一を示す。）
【請求項４】
第１の電極と第２の電極との間に、発光物質を含む層を含む複数の層を有し、
前記複数の層のうち少なくとも一層は、一般式（１）で表されるカルバゾール誘導体と、前記一般式（１）で表されるカルバゾール誘導体に対して電子受容性を示す金属酸化物とを有し、
前記一般式（１）で表されるカルバゾール誘導体と、前記一般式（１）で表されるカルバゾール誘導体に対して電子受容性を示す金属酸化物とを有する層は、前記発光物質を含む層と前記第１の電極との間に設けられ、
前記第１の電極における電位が前記第２の電極における電位よりも高くなるように電圧を印加すると発光する素子構造であることを特徴とする発光素子。
【化４】
2006186333.tif 000004
（式中、Ｒ１は、水素、ハロゲン、シアノ基、炭素数１〜２０のアルキル基、炭素数１〜２０のハロアルキル基、炭素数１〜２０のアルコキシル基、置換または無置換のアリール基、置換または無置換の複素環残基のいずれか一を示す。また、Ｒ２〜Ｒ５はそれぞれ同一でも異なっていても良く、水素、ハロゲン、シアノ基、炭素数１〜２０のアルキル基、炭素数１〜２０のアルコキシル基、炭素数１〜２０のアシル基、炭素数１〜２０のハロアルキル基、炭素数１〜２０のジアルキルアミノ基、炭素数１〜２０のジアリールアミノ基、置換または無置換の複素環残基、カルバゾリル基のいずれか一を示す。）
【請求項５】
第１の電極と第２の電極との間に、発光物質を含む層を含む複数の層を有し、
前記複数の層のうち少なくとも一層は、一般式（１）で表されるカルバゾール誘導体と、前記一般式（１）で表されるカルバゾール誘導体に対して電子受容性を示す金属酸化物とを有し、
前記一般式（１）で表されるカルバゾール誘導体と、前記一般式（１）で表されるカルバゾール誘導体に対して電子受容性を示す金属酸化物とを有する層は、前記発光物質を含む層と前記第２の電極との間に設けられ、
前記第１の電極における電位が前記第２の電極における電位よりも高くなるように電圧を印加すると発光する素子構造であることを特徴とする発光素子。
【化５】
2006186333.tif 000005
（式中、Ｒ１は、水素、ハロゲン、シアノ基、炭素数１〜２０のアルキル基、炭素数１〜２０のハロアルキル基、炭素数１〜２０のアルコキシル基、置換または無置換のアリール基、置換または無置換の複素環残基のいずれか一を示す。また、Ｒ２〜Ｒ５はそれぞれ同一でも異なっていても良く、水素、ハロゲン、シアノ基、炭素数１〜２０のアルキル基、炭素数１〜２０のアルコキシル基、炭素数１〜２０のアシル基、炭素数１〜２０のハロアルキル基、炭素数１〜２０のジアルキルアミノ基、炭素数１〜２０のジアリールアミノ基、置換または無置換の複素環残基、カルバゾリル基のいずれか一を示す。）
【請求項６】
第１の電極と第２の電極との間に、発光物質を含む層を含む複数の層を有し、
前記複数の層のうち少なくとも一層は、一般式（１）で表されるカルバゾール誘導体と、前記一般式（１）で表されるカルバゾール誘導体に対して電子受容性を示す金属酸化物とを有し、
前記一般式（１）で表されるカルバゾール誘導体と、前記一般式（１）で表されるカルバゾール誘導体に対して電子受容性を示す金属酸化物とを有する層は、前記発光物質を含む層と前記第１の電極との間、及び前記発光物質を含む層と前記第２の電極との間に設けられ、
前記第１の電極における電位が前記第２の電極における電位よりも高くなるように電圧を印加すると発光する素子構造であることを特徴とする発光素子。
【化６】
2006186333.tif 000006
（式中、Ｒ１は、水素、ハロゲン、シアノ基、炭素数１〜２０のアルキル基、炭素数１〜２０のハロアルキル基、炭素数１〜２０のアルコキシル基、置換または無置換のアリール基、置換または無置換の複素環残基のいずれか一を示す。また、Ｒ２〜Ｒ５はそれぞれ同一でも異なっていても良く、水素、ハロゲン、シアノ基、炭素数１〜２０のアルキル基、炭素数１〜２０のアルコキシル基、炭素数１〜２０のアシル基、炭素数１〜２０のハロアルキル基、炭素数１〜２０のジアルキルアミノ基、炭素数１〜２０のジアリールアミノ基、置換または無置換の複素環残基、カルバゾリル基のいずれか一を示す。）
【請求項７】
第１の電極と第２の電極との間に、発光物質を含む層を含む複数の層を有し、
前記複数の層のうち、前記第１の電極と前記発光物質を含む層との間には、下記構造式（７５）で表されるカルバゾール誘導体と、前記構造式（７５）で表されるカルバゾール誘導体に対して電子受容性を示す金属酸化物とを有することを特徴とする発光素子。
【化７】
2006186333.tif 000007
【請求項８】
第１の電極と第２の電極との間に、発光物質を含む層を含む複数の層を有し、
前記複数の層のうち、前記第１の電極と前記発光物質を含む層との間には、下記構造式（７６）で表されるカルバゾール誘導体と、前記構造式（７６）で表されるカルバゾール誘導体に対して電子受容性を示す金属酸化物とを有することを特徴とする発光素子。
【化８】
2006186333.tif 000008
【請求項９】
請求項１乃至８のいずれか一において、
前記金属酸化物は、周期表第４族〜第１２族のいずれかの遷移金属の酸化物から選ばれた一であることを特徴とする発光素子。
【請求項１０】
請求項１乃至８のいずれか一において、
前記金属酸化物は、周期表第４族〜第８族のいずれかの遷移金属の酸化物から選ばれた一であることを特徴とする発光素子。
【請求項１１】
請求項１乃至８のいずれか一項において、
前記金属酸化物は、モリブデン酸化物、バナジウム酸化物、ルテニウム酸化物、タングステン酸化物、レニウム酸化物、チタン酸化物、クロム酸化物、ジルコニウム酸化物、ハフニウム酸化物、タンタル酸化物から選ばれた一であることを特徴とする発光素子。
【請求項１２】
請求項１乃至１１のいずれか一に記載の発光素子を光源に用いた発光装置。
【請求項１３】
請求項１乃至１１のいずれか一に記載の発光素子を有する画素が設けられた発光装置。
【請求項１４】
請求項１２または１３に記載の発光装置を用いた電子機器。